(57)【要約】【課題】指輪型装置の内径寸法の調整機構が故障しても緊急的に指を抜き取れるようにする。【解決手段】指輪型装置１は、指輪状ハウジング２０のヒンジ連結部２９に、ハウジング別体部２５の一端２５ｂを回動可能に取り付けており、ハウジング別体部２５の先端２５ａは、指輪状ハウジング２０の環状形成部２８の端部２８ａに係合できるようにしている。そのため、指輪型装置１の空洞部に装着された指をスライダ５が押圧した状態で、スライダ５の駆動機構等の故障により、スライダ５が引っ込まなくなった場合でも、ハウジング別体部２５の先端２５ａ側の係合を解除して、ハウジング別体部２５を開くことで、開口３１から指を緊急的に抜き取ることができる。【選択図】図３
2009119151.tif 000002
【特許請求の範囲】
【請求項１】
指輪状ハウジングと、前記指輪状ハウジングの指装着箇所となる空洞部の内径寸法を調整するように突出可能な内径調整部材とを備えた指輪型装置において、
前記指輪状ハウジングは、前記空洞部の周縁の一部を形成するハウジング本体部と、前記空洞部の周縁の他部を形成するハウジング別体部とを備え、
前記ハウジング本体部に、前記内径調整部材が配置してあり、
前記ハウジング別体部は、前記空洞部の周縁の他部を開口するように開閉可能にしてあり、
前記ハウジング別体部が開いた場合の開口幅は、前記空洞部の装着対象寸法となる指が通過できる寸法にしてあることを特徴とする指輪型装置。
【請求項２】
前記ハウジング本体部は、前記空洞部を介して前記内径調整部材と対向する箇所を含むように形成してある請求項１に記載の指輪形装置。
【請求項３】
前記ハウジング別体部の前記空洞部の周縁方向での一端は、前記ハウジング本体部に回動可能に取り付けてあり、
前記ハウジング別体部の前記周囲方向の周縁方向での他端は、前記ハウジング本体部に係合できるようにしてある請求項１または請求項２に記載の指輪形装置。
【請求項４】
前記ハウジング別体部は、
前記ハウジング本体部と係合するように、弾性体で突出状態に付勢される係合部と、
前記係合部を突出状態から係合を解除する非突出状態へと移動させる操作部材と
を備え、
前記操作部材は、表面から操作部を突設させており、
前記操作部材の操作部は、前記ハウジング別体部の外周表面から突出しない高さにしてある請求項３に記載の指輪形装置。
【請求項５】
前記空洞部に装着される指へ向けて発光可能に配置された発光素子と、
前記発光素子から発せられた光を受光する受光素子と、
前記受光素子の受光に応じた信号の処理を行う処理部とを備え、
前記発光素子または前記受光素子の少なくとも一方が、前記ハウジング別体部に配置してある請求項１乃至請求項４のいずれか１項に記載の指輪形装置。
【発明の詳細な説明】
【技術分野】
【０００１】
本発明は、内径調整部材の突出量を可変にすることで人体の指を装着する空洞部の内径寸法を調整可能にした指輪型装置に関し、特に、何らかの原因により内径調整部材が突出した状態で調整ができなくなっても容易に指を外せるようにした指輪型装置に関する。
【背景技術】
【０００２】
従来、人体の指に装着される指輪型装置が存在し、このような指輪型装置は様々な用途に利用されている。例えば各種電気機器またはゲーム機器に対する遠隔操作用のリモコン装置として指輪型装置が使用されることがある。このようなリモコン装置としての用途では、ユーザの指示を受け付ける操作部、機器本体へ制御指示用の無線信号を発するための発信部（例えば、赤外線発光部など）および無線信号を生成するための電気基板等を、指輪型装置が具備する構成となる。なお、指輪型装置がゲーム機器のリモコン装置として使用される場合はさらに、ユーザの腕または手などの動きを検知するための各種センサー（圧力センサー、加速度センサー等）が指輪型装置に内蔵されることが多い。
【０００３】
また、指輪型装置の用途として生体信号の検出装置に利用されることが挙げられる。生体信号の検出装置とは、人体の脈拍又は血液中の酸素飽和濃度等に係る信号（生体信号）を検出するものであり、通常、指輪型装置に装着された指へ向けて光を発する発光素子、その光を受光する受光素子、および受光素子の受光具合に応じて脈拍又は酸素飽和濃度等に係る値を導き出す処理を行う検出処理部（検出用のＩＣ等を実装した基板）等が、指輪型装置に具備される。なお、生体信号の検出の際には、検出対象の指へ適切なレベルの圧力を付加した方が、生体信号を検出しやすくなる。
【０００４】
なお、下記の特許文献１および特許文献２では、生体信号の検出装置に使用される指輪型装置の一例として、指輪型装置の空洞部分（指を装着する部分）の内径寸法を調整することで、装着された指へ圧力を付加する機構が各種開示されている。たとえば、特許文献１では、ラック・アンド・ピニオンのギア伝達機構をもちいて、指を押圧する部材の突出量を調整する機構が開示されている（図２８等）。また、特許文献２では、バネで付勢された半円状の部材を回動可能に組み合わせて、指を挟み込むことで指へ圧力を付加する機構が開示されている。
【特許文献１】特開２００６−２４７１３３号公報
【特許文献２】特開平１１−３３２８４０号公報
【発明の開示】
【発明が解決しようとする課題】
【０００５】
上記の特許文献１および特許文献２に示す圧力付加機構を備えた指輪型装置では、ギアの噛み込み、回動する部材の引っかかりなどの故障原因により、指へ圧力を付加した状態で調整ができなくなる事態が生じることも想定される。このような事態が発生すると、指輪を抜くような通常の方法で指を抜くことができないので、何らかの緊急取り出し機構が必要となる。しかし、特許文献１および特許文献２の指輪型装置は、上述した事態に対して有効な手だてを講じていないため、指輪型装置から指を抜くのに手間と時間を要すると云う問題がある。なお、特許文献１の図２９では、指を装着する箇所の周囲の一部を切り欠いて開口を形成しているが寸法的に、この開口を通じて指を抜くことはできない。また、特許文献２の図１２でも、指を装着する箇所に開口を設けているが、特許文献１と同様に寸法的に指を抜くことはできない。
【０００６】
本発明は、斯かる問題に鑑みてなされたものであり、内径寸法を調整する機構の故障により指が抜けなくなった状態でも、指を通過させられる寸法を確保した開口を生じさせられる緊急取り出し機構を設けた指輪型装置を提供することを目的とする。
【課題を解決するための手段】
【０００７】
上記課題を解決するために本発明に係る指輪型装置は、指輪状ハウジングと、前記指輪状ハウジングの指装着箇所となる空洞部の内径寸法を調整するように突出可能な内径調整部材とを備えた指輪型装置において、前記指輪状ハウジングは、前記空洞部の周縁の一部を形成するハウジング本体部と、前記空洞部の周縁の他部を形成するハウジング別体部とを備え、前記ハウジング本体部に、前記内径調整部材が配置してあり、前記ハウジング別体部は、前記空洞部の周縁の他部を開口するように開閉可能にしてあり、前記ハウジング別体部が開いた場合の開口幅は、前記空洞部の装着対象寸法となる指が通過できる寸法にしてあることを特徴とする。
【０００８】
本発明にあっては、ハウジング本体部に対して開閉可能なハウジング別体部を指輪状ハウジングに設けると共に、ハウジング別体部が開いた場合の開口幅を、指が通過できる寸法にしてあるので、ハウジング別体部を開けば、開いた箇所から指を抜けるようになる。そのため、内径寸法を調整する機構の故障により、通常の方法で指が抜けなくなった場合でも、ハウジング別体部を開くことで、容易に指が抜けるようになる。なお、ハウジング別体部を開くことで、指を抜けるようにするためには、ハウジング別体部を開くことで生じる開口の幅を、指が装着される空洞部の円周寸法の約１／４〜約１／２程度の寸法（好ましくは、ハウジングの剛性を確保するために約１／３〜約２／５程度）に設定することが望まれる。
【０００９】
本発明に係る指輪型装置は、前記ハウジング本体部が、前記空洞部を介して前記内径調整部材と対向する箇所を含むように形成してあることを特徴とする。
本発明にあっては、内径調整部材と対向する箇所がハウジング本体部に含まれるので、ハウジング本体部に収められた内径調整部材の突出箇所と、内径調整部材の対向箇所が同一のハウジング本体部に設けられることになり、内径調整部材の突出に伴う押圧力をワンピース構造のハウジング本体部で受け止められる。そのため、開閉可能なハウジング別体部を設けても、指への押圧に対して必要な剛性をハウジング本体部に確保でき、適正レベルの圧力を支障なく指へ付加することができる。
【００１０】
本発明に係る指輪型装置は、前記ハウジング別体部の前記空洞部の周縁方向での一端は、前記ハウジング本体部に回動可能に取り付けてあり、前記ハウジング別体部の前記周囲方向の周縁方向での他端は、前記ハウジング本体部に係合できるようにしてあることを特徴とする。
【００１１】
本発明にあっては、ハウジング別体部の一端がハウジング本体部に回動可能に取り付けられ、他端がハウジング本体部に係合できるようにしてあるので、ハウジング本体部の開閉は、他端側の状態を係合と係合解除との間で切り替えて一端側を回動すれば容易に行える。その結果、緊急的な指の取り出しを、他端側の係合解除でハウジング別体部を開けることで行えると共に、ハウジング別体部を開いた状態でも、一端側がハウジング本体部に繋がっているので、開いたハウジング別体部を紛失することもない。
【００１２】
本発明に係る指輪型装置は、前記ハウジング別体部が、前記ハウジング本体部と係合するように、弾性体で突出状態に付勢される係合部と、前記係合部を突出状態から係合を解除する非突出状態へと移動させる操作部材とを備え、前記操作部材は、表面から操作部を突設させており、前記操作部材の操作部は、前記ハウジング別体部の外周表面から突出しない高さにしてあることを特徴とする。
【００１３】
本発明にあっては、突出状態（係合状態）の係合部を非突出状態（係合解除状態）へと移動させる操作部材を設けたので、操作部材を操作することで係合を解除できるようになる。また、操作部材を操作するために突設した操作部は、ハウジング別体部から突出しないようにしてあるので、ユーザが不用意に操作部に触れて係合が解除されること、または、操作部が周囲のものと接触して係合が解除されることを防いで、ハウジング別体部が予期せずに開いてしまうことが回避される。
【００１４】
本発明に係る指輪型装置は、前記空洞部に装着される指へ向けて発光可能に配置された発光素子と、前記発光素子から発せられた光を受光する受光素子と、前記受光素子の受光に応じた信号の処理を行う処理部とを備え、前記発光素子または前記受光素子の少なくとも一方が、前記ハウジング別体部に配置してあることを特徴とする。
【００１５】
本発明にあっては、発光素子、受光素子および信号の処理部を備えて生体信号の検出に用いることができるようにした指輪型装置のハウジング別体部に、発光素子または受光素子の少なくとも一方を配置するので、開閉可能なハウジング別体部を設けても、各素子を適所に配置して指輪型装置が大型化することを防止できる。なお、ハウジング別体部に設けた素子の電気的な接続は、ハウジング本体部への取付箇所に電気的な接点を設けるか、または、ハウジング別体部の一端を回動可能に取り付けるときは、フレキシブル回路基板（ＦＰＣ基板）等を用いることなどが考えられる。
【発明の効果】
【００１６】
本発明にあっては、ハウジング本体部に対して開閉可能なハウジング別体部を設けたので、空洞部の内径を調整する機構が故障して通常の方法で指が抜けなくなった場合でも、ハウジング別体部を開けて容易に指を抜くことができる。
また、本発明にあっては、内径調整部材と対向する箇所がハウジング本体部に含まれるので、内径調整部材の突出に伴う押圧力をワンピース構造のハウジング本体部で受け止めることができ、開閉可能なハウジング別体部を設けても、内径寸法の調整に係る所要の剛性を確保できる。
【００１７】
さらに、本発明にあっては、ハウジング別体部の一端がハウジング本体部に回動可能に取り付けられ、他端がハウジング本体部に係合できるようにしてあるので、一端側を回動支軸にしてハウジング別体部を開けられると共に、開いたハウジング別体部が紛失することを防止できる。
さらにまた、本発明にあっては、係合部を突出状態から非突出状態へと移動させる操作部材を設けると共に、操作部材を操作するために突設した操作部を、ハウジング別体部の外周表面から突出しないようにしたので、ユーザが不用意に操作部に触れて係合が解除されてハウジング別体部が開いてしまうような事態を回避できる。
【００１８】
また、本発明にあっては、生体信号の検出に適用される指輪型装置のハウジング別体部に、発光素子または受光素子の少なくとも一方を配置するので、開閉可能なハウジング別体部を設けても、各素子を適所に配置して指輪型装置が大型化することを防止できる。
【発明を実施するための最良の形態】
【００１９】
図１〜図３は、本発明の実施形態に係る指輪型装置１の外観を示している。本実施形態の指輪型装置１は、人体の脈拍又は血液中の酸素飽和濃度等に係る生体信号の検出を行う装置であり、ユーザの指を装着する箇所（空洞部２０ａ）の内径寸法を調整する機構を具備し、この調整機構の故障により指が抜けなく立った場合の緊急取り出し機構を設けたことが特徴になっている。なお、図１の中で示すＸ軸は、指輪型装置１の空洞部２０ａの中心軸方向（指を挿入する方向）を示し、Ｙ軸は指輪型装置１の幅方向を示し、Ｚ軸は指輪型装置１の高さ方向（上下方向）を示している（以下、同様）。
【００２０】
指輪型装置１は、装置周囲の全体的なハウジングとして指輪状ハウジング２０を具備している。また、図１において手前側となる第１側方カバー２１、奥側となる第２側方カバー２２、図１において左側面を被う側面カバー２３、これらの側方カバー２１、２２および側面カバー２３の上方を被う上部カバー２４により指輪状ハウジング２０のハウジング本体部２０ｂを形成し、このハウジング本体部２０ｂに、空洞部２０ａの周縁を部分的に開閉するハウジング別体部２５を開閉可能に取り付けている（図３参照）。ハウジング本体部２０ｂは、空洞部２０ａの周縁の一部を形成し、ハウジング別体部２５は、空洞部２０ａの周縁の他部を形成している。なお、指輪型装置１は、生体信号の検出に用いる電気的なパーツとして、発光センサ１２（図２参照）、受光センサ１３（図３等参照）、制御ユニット１５（図４、図５参照）等を具備している。以下、本実施形態の指輪型装置１について詳説する。
【００２１】
図１〜図３に示すように、ハウジング本体部２０ｂを構成する第１側方カバー２１、第２側方カバー２２および側面カバー２３は、上部カバー２４が被せられる側にボックス形状の収納部２７を形成している。この収納部２７および上部カバー２４の内部には、図４および図５に示すように、制御ユニット１５等の電装部品、および空洞部２０ａの内径寸法調整用のスライダ５（内径調整部材に相当）等を納めている。
【００２２】
スライダ５は、所要の剛性を確保した箱状の部材であり、空洞部２０ａの中心からＺ軸方向に対して側面カバー２３の方へ４５度傾いた箇所に設けられた開口より、空洞部２０ａの内方へ突出可能に配置されている。収納部２７の内部には、このスライダ５を案内する案内部を設けて、図１で示す矢印Ａの方向（空洞部２０ａの中心へ向かう方向）へスライダ５を突出できるようにしている。
【００２３】
スライダ５の突出は、図４および図５に示すスライダ５の上方に配置されたモータ３により駆動されている。スライダ５の第２側方カバー２２と対向する一側面にラックギアが設けられており、このラックギアにモータ３のモータ軸に取り付けられたギア及び複数の中間ギアを介してモータの３の駆動力が伝達されて、スライダ５は突出する。このようなスライダ５の突出により、空洞部２０ａの内径寸法が調整され、空洞部２０ａに装着された指をスライダ５で押圧し、生体信号を検出しやすい状態を作り出す。なお、空洞部２０ａの装着対象として規定される人体の指のサイズ（指の太さに関する寸法）の上下限は、スライダ５の非突出状態（指輪状ハウジング２０に最も引っ込んだ状態）で空洞部２０ａに装着できる寸法が上限寸法であり、下限寸法はスライダ５が最も突出した状態で空洞部２０ａに装着された指をスライダ５の先端面で適切に押圧できる寸法にしている。
【００２４】
また、図４に示すように、制御ユニット１５は、メイン基板１５ａ、電源となるボタン電池１５ｂ、操作基板１５ｃが積層されたものであり、収納部２７および上部カバー２４の内方で、スライダ５と平行的に配置されている。制御ユニット１５は、モータ３の駆動に係る制御と、生体信号の検出に係る処理を行っており、モータ３、発光センサ１２（発光素子に相当）、受光センサ１３（受光素子に相当）と、フレキシブル回路基板で接続されている。また、制御ユニット１５の操作基板１５ｃには、モータ３の駆動操作を行うジョグスイッチ１１ａ、生体信号の検出開始の指示を行う操作ボタン１１ｂ等が設けられている。
【００２５】
なお、生体信号の検出の仕方は以下の通りである。まず、空洞部２０ａに指を装着した状態で、ジョグスイッチ１１ａを操作することで、制御ユニット１５の制御によりスライダ５を突出させて適切に指が押圧された状態を作り出す。この状態で、操作ボタン１１ｂを操作することに応じて、空洞部２０ａに装着された指へ発光センサ１２から所定の波長の光が発せられると共に、その光が受光センサ１３で受光され、受光センサ１３が受光に応じた信号を制御ユニット１５へ送る。制御ユニット１５は、送られた信号に基づき所定の処理を行い、脈拍又は血液中の酸素飽和濃度等が算出される。
【００２６】
上述したスライダ５の案内部、モータ３、制御ユニット１５は、金属製のベースシャーシ２に取り付けられている。ベースシャーシ２は、図１において奥側となる第２側方カバー２２の内周面に沿って延伸するように板状金属材を折り曲げて形成されている。ベースシャーシ２のスライダ５が位置する側と反対側の端部２ａ（図４、図５参照）には、サブシャーシ４を連結している。なお、ベースシャーシ２とサブシャーシ４との連結箇所付近で、空洞部２０ａの内周面側となる箇所に発光センサ１２が取り付けられており（図２、図５参照）、この発光センサ１２が空洞部２０ａの内周面で表出するように、両方の側方カバー２１、２２には切欠開口が設けられている。
【００２７】
サブシャーシ４は、第１側方カバー２１および第２側方カバー２２の収納部２７から突出する部分に相当するハウジング本体部２０ｂにおける環状形成部２８（図１〜図３参照）の内部に収められている。環状形成部２８は、指を装着する空洞部２０ａの周縁部分を形成し、端部２８ａが空洞部２０ａを挟んでスライダ５と対向する箇所まで突出している（図３参照）。そのため、サブシャーシ４も環状形成部２８の端部２８ａまで伸びており、これにより、突出した形状の環状形成部２８の剛性が確保され、空洞部２０ａに装着された指がスライダ５に押圧される荷重を受け止められるようにしている。
【００２８】
図６は、環状形成部２８の端部２８ａの端面２８ｂを示している。空洞部２８の端面２８ｂは開口しており、内部のサブシャーシ４のシャーシ端部４ａが露出している。このシャーシ端部４ａはハウジング別体部２５の先端２５ａ（空洞部２０ａの周縁方向の他端に相当）が係合される被係合部として機能しており、係合に必要な剛性を確保するために、断面がカタカナの「コ」字状となるように折り曲げられている。また、シャーシ端部４ａは、幅方向の略中央部に、ハウジング別体部２５と係合される際の位置決め用の凹部４ｂを形成すると共に、その凹部４ｂの両側に縦長矩形の係合穴４ｃ、４ｄを穿設している。
【００２９】
また、図２および図３に示すように、指輪状ハウジング２０のハウジング本体部２０ｂにおけるスライダ５が突出する箇所の付近には、ヒンジ連結部２９が設けられている。このヒンジ連結部２９は、ハウジング別体部２５のヒンジ回動側の一端２５ｂが連結される箇所になり、ハウジング別体部２５に配置される受光センサ１３から延出するフレキシブル回路基板３０がヒンジ連結部２９よりハウジング本体部２０ｂへ引き込まれている（図３参照）。
【００３０】
図３に示すように空洞部２０ａの周囲部分において、ヒンジ連結部２９から、対向側の環状形成部２８の端部２８ａまでは、第１側方カバー２１および第２側方カバー２２を切り欠いた開口３１が形成されている。この開口３１の開口幅Ｌは、空洞部２０ａの装着対象として規定されるサイズの指が通過できる寸法に設定されており、本実施形態では、空洞部２０ａの内周長の約１／４〜約１／３程度の寸法（例えば、円周長の０．２９倍）に設定されている。
【００３１】
空洞部２０ａの開口３１は、ハウジング本体部２０ｂのヒンジ連結部２９に回動可能に取り付けたハウジング別体部２５を開くことで、表れるようにしている。ハウジング別体部２５は、全体が平仮名の「へ」字状であり、空洞部２０ａの内周側をボックス状の内周ハウジング３５で形成すると共に、外面側を板状の外面カバー３６で被っている。なお、内周ハウジング３５には、受光センサ１３が収められており、内周ハウジング３５に形成した穴を通じて発光センサ１２から発せられた光を受光できるようにしている（図３参照）。
【００３２】
図７（ａ）は、内周ハウジング３５を取り外した状態のハウジング別体部２５を空洞部２０ａの内周面側から見た状況を示し、図７（ｂ）は、外面カバー３６を取り外したハウジング別体部２５を外面側から見た上体を示している。ハウジング別体部２５は、金属製の板状部材であるロックベースアングル７を外面カバー３６の内面側に配置し、ロックベースアングル７の一方の端部７ａの側を外面カバー３６の内面に固定している。
【００３３】
また、ハウジング別体部２５は、ロックベースアングル７の一方の端部７ａ側において、幅方向の両側にヒンジ支持部７ｂ、７ｃを立設し、ヒンジ支持部７ｂ、７ｃには、板状部材のアングル８のピンが嵌め込まれ、これらのピンを回動中心にして、アングル８はロックベースアングル７に対して回動できるようになっている。アングル８はハウジング本体部２０ｂのヒンジ連結部２９を通じて側面カバー２３の内面に固定されており（図４、図５参照）、その結果、ハウジング別体部２５は、空洞部２０ａの周縁方向での一端２５ｂでハウジング本体部２０ｂに対して回動可能になっている。
【００３４】
図７（ａ）、図７（ｂ）に戻り、ロックベースアングル７の他方の端部７ｄ（空洞部２０ａの周縁方向での他端）は、先端に凸部７ｅを突設している。この凸部７ｅは、ハウジング別体部２５が閉じた状態になると、図６に示すサブシャーシ４の凹部４ｂに入り込み、ハウジング別体部２５を幅方向で位置決めする。さらに、ロックベースアングル７の他方の端部７ｄは、外面カバー３６との間に隙間が設けられて、この隙間にロックアングル９が配置されている。このロックアングル９は、図７（ａ）の中で示す矢印方向に摺動できるように、ロックベースアングル７の裏面に取り付けられている。
【００３５】
なお、図７（ａ）に示すように、ロックベースアングル７の表面には、受光センサ１３を実装した回路基板１３ａを配置しており、このように配置することで、ハウジング別体部２５が閉じられた状態では、受光センサ１３と発光センサ１２との取付角度は空洞部２０ａにおいて直交的な位置関係となり、発光センサ１２から発せられた光を受光センサ１３で受光しやすくなる。
【００３６】
ロックアングル９は、ロックベースアングル７との間で取り付けられる幅方向の両側に位置する圧縮コイルバネＢ１、Ｂ２（弾性体）により、外方向へ突出するように付勢されている。さらに、ロックアングル９は、ハウジング別体部２５の係合側の先端から計２つの係合ツメ９ａ、９ｂ（係合部に相当）を突設しており、これらの係合ツメ９ａ、９ｂは、ハウジング別体部２５が閉じる方向に回動すると、図６に示すサブシャーシ４の係合穴４ｃ、４ｄに係合する。
【００３７】
即ち、図８（ａ）に示すように、係合ツメ９ａ、９ｂは、先端に斜辺部９ｃ、９ｄを形成しており、ハウジング別体部２５が開いた状態から閉じる方向に回動すると、図８（ｂ）に示すように、係合ツメ９ａ、９ｂの斜辺部９ｃ、９ｄが、サブシャーシ４の端部４ａの下端辺部４ｅに当接する。この状態で、さらにハウジング別体部２５を閉じる方向に回動すると、係合ツメ９ａ、９ｂの斜辺部９ｃ、９ｄが、当接するサブシャーシ４の下端辺部４ｅに押圧され、それに伴い、圧縮コイルバネＢ１、Ｂ２の付勢力に抗してハウジング別体部２５のロックアングル９は、図８（ｂ）中の矢印方向へ摺動する。
【００３８】
ハウジング別体部２５の矢印Ｄ方向への摺動により、係合ツメ９ａ、９ｂの突出量が減少し、さらにこの状態から、ハウジング別体部２５を閉じる方向に回動すると、突出量が減少した係合ツメ９ａ、９ｂが、サブシャーシ４の下端辺部４ｅを越える。
【００３９】
図８（ｃ）に示すように、さらなるハウジング別体部２５の回動で、係合ツメ９ａ、９ｂが、サブシャーシ４の係合穴４ｃ、４ｄへ到達すると、係合ツメ９ａ、９ｂは、サブシャーシ４の端部４ａとの接触がなくなるので、圧縮コイルバネＢ１、Ｂ２の付勢力により、ロックアングル９は、図８（ｃ）中の矢印方向へ摺動する。その結果、係合ツメ９ａ、９ｂは、サブシャーシ４の係合穴４ｃ、４ｄに入り込み、ハウジング別体部２５が閉じて、ハウジング本体部２０ｂの環状形成部２８に係合した状態となる。
【００４０】
また、図７（ｂ）に示すように、ロックアングル９の裏面９ｅには、係合解除用の操作部材１０が固定されている。操作部材１０は、滑り止め用の凹凸を設けた操作部１０ｂを表面１０ａから突設している。操作部材１０の操作部１０ｂは、ハウジング別体部２５の外面カバー３６の操作穴３６ａの穴内部に位置するが、図８（ａ）に示すように、外面カバー３６の外周表面３６ｂより外方へ突出しない高さで形成されている。
【００４１】
図８（ｃ）に示す係合状態のハウジング別体部２５の係合を解除するには、操作部１０ｂをユーザは指先で矢印と反対方向に移動させるように操作して、操作部材１０がロックアングル９と共に矢印と反対方向へ摺動させることで行う。このように、ロックアングル９を摺動させることで、突出状態の係合ツメ９ａ、９ｂが非突出状態となり、サブシャーシ４の係合穴４ｃ、４ｄから抜け出て係合が解除される。係合が解除されると、ハウジング別体部２５を開く方向に回動可能となる。
【００４２】
そのため、例えば、スライダ５を駆動するギアの噛み込み等による原因で、突出したスライダ５が元に戻らない状態になったとしても、上述したように操作部材１０の操作部１０ｂをユーザが操作すれば、図３に示すように、ハウジング別体部２５を開くように回動し、空洞部２０ａに装着された指を緊急的に抜くことができる。また、操作部材１０の操作部１０ｂは、ハウジング別体部２５の外面カバー３６の外面表面３６ｂより突出していないので、ユーザが不用意に触れて係合状態のハウジング別体部２５を解除する事態も未然に防止しており、ユーザは安心して生体信号の検出を行える。
【００４３】
なお、本発明に係る指輪型装置１は、上述した実施形態に限定されるものではなく、種々の変形例の適用が可能である。例えば、発光センサ１２および受光センサ１３の配置は、上述した説明例と逆にすることも可能であり、また、発光センサ１２と受光センサ１３が一体となったタイプの一体型センサを用いるようにしてもよい。この場合、一体型センサは、上述した説明例での発光センサ１２の位置に配置する方が、ハウジング別体部２５の配線を省略できる点で好ましいが、一体型センサ１３をハウジング別体部２５に配置することも勿論可能である。
【００４４】
また、ハウジング別体部２５のハウジング本体部２０ｂへの取付方は、上述した例とは逆に、環状形成部２８の端部２８ａに回動可能に取り付けて、上述した例のヒンジ連結部２９を係合箇所にすることも可能である。さらに、ハウジング別体部２５は、両端を係合でハウジング本体部に取り付けるようにして、両端の係合を解除して開いた状態では、ハウジング本体部から完全に取り外せるようにしてもよい。このようにハウジング別体部２５を取り外し式にすると、開口３１の周囲に障害物が無くなり、空洞部２０ａに装着された指が一層抜きやすくなる。
【００４５】
さらに、スライダ５はモータ駆動ではなく、ギアと連結されたダイヤル状の部材を回転させることで、手動によりスライダ５を突出させる機構を適用することも可能である。さらにまた、上述した説明では、指輪型装置１を生体信号の検出用の場合で説明したが、本発明に係る構成を各種電気機器本体またはゲーム機器本体に対するリモートコントローラ用の指輪型装置に適用することも可能である。この場合は、生体信号検出に係る電気的なパーツの替わりに、リモートコントローラに必要なパーツを適用することになる。このように本発明の構成をリモートコントローラ用の指輪型装置に適用すれば、内径寸法の調整機構が故障しても容易に指を抜くことができ、ユーザの安心度を高めた指輪型装置のリモートコントローラを提供できる。
【図面の簡単な説明】
【００４６】
【図１】本発明に係る実施形態に係る指輪型装置の斜視図である。
【図２】図１と別角度から、実施形態の指輪型装置を示した斜視図である。
【図３】指輪型装置のハウジング別体部を開いた状態を示す斜視図である。
【図４】指輪型装置の内部構造を示す透視図である。
【図５】図４と別角度から、指輪型装置の内部構造を示した透視図である
【図６】係合箇所に係るサブシャーシの端部を示す要部拡大図である。
【図７】（ａ）はハウジング別体部の内周ハウジングを外した状態の斜視図であり、（ｂ）はハウジング別体部の外面カバーを外した状態の斜視図である。
【図８】（ａ）はハウジング別体部の非係合状態を示す概略図、（ｂ）はハウジング別体部の係合直前の状態を示す概略図、（ｃ）はハウジング別体部の係合状態を示す概略図である。
【符号の説明】
【００４７】
１  指輪型装置
５  スライダ
９ａ、９ｂ  係合ツメ
１０  操作部材
１０ｂ  操作部
１２  発光センサ
１３  受光センサ
１５  制御ユニット
２０  指輪状ハウジング
２０ａ  空洞部
２０ｂ  ハウジング本体部
２５  ハウジング別体部
３１  開口
３６  外面カバー
【図１】
2009119151.tif 000003
【図２】
2009119151.tif 000004
【図３】
2009119151.tif 000005
【図４】
2009119151.tif 000006
【図５】
2009119151.tif 000007
【図６】
2009119151.tif 000008
【図７】
2009119151.tif 000009
【図８】
2009119151.tif 000010